(57)【要約】      （修正有）【課題】洗浄力に優れ、菌の増殖や臭い及びべたつきやぬるつきがなく、拭き跡が残りにくい拭き取り用の液体洗浄剤の提供。【解決手段】アニオン界面活性剤（Ａ１）を含む界面活性剤（Ａ）を０．１〜５質量％、銅、マンガン、ニッケル、コバルト、鉄及び亜鉛から選択される少なくとも１種（Ｂ）と、下記一般式（ｃ１）、（ｃ２）で表される化合物から選択されるのキレート剤（Ｃ）と、ビグアニド系ポリマー（Ｄ）とを含有する液体洗浄剤。2015017156.tif 000016【選択図】なし【特許請求の範囲】
【請求項１】
少なくともアニオン界面活性剤（Ａ１）を含む界面活性剤（Ａ）を０．１〜５質量％と、
銅、マンガン、ニッケル、コバルト、鉄及び亜鉛から選択される少なくとも１種（Ｂ）と、
下記一般式（ｃ１）で表される化合物及び下記一般式（ｃ２）で表される化合物から選択される少なくとも１種のキレート剤（Ｃ）と、
ビグアニド系ポリマー（Ｄ）と
を含有する、拭き取り用の液体洗浄剤。
【化１】
2015017156.tif 000014
（式（ｃ１）中、Ｘ１１〜Ｘ１４は、それぞれ独立に、水素原子、アルカリ金属、アルカリ土類金属又はカチオン性アンモニウムを表し、Ｒ１１は水素原子又はヒドロキシ基を表し、ｎ１は０又は１の整数を表す。）
【化２】
2015017156.tif 000015
（式（ｃ２）中、Ａはアルキル基、カルボキシ基、スルホ基、アミノ基、ヒドロキシ基又は水素原子を表し、Ｘ２１〜Ｘ２３は、それぞれ独立に、水素原子、アルカリ金属、アルカリ土類金属又はカチオン性アンモニウムを表し、ｎ２は０〜５の整数を表す。）
【発明の詳細な説明】
【技術分野】
【０００１】
本発明は、拭き取り用の液体洗浄剤に関する。
【背景技術】
【０００２】
近年の衛生・清潔意識の高まりから、菌やニオイの抑制に目を向けた製品が多く販売されている。また、家事の時間短縮や効率化に対する意識が高まり、汚れに気がついたときにトイレットペーパー、ティッシュペーパー、キッチンペーパーなどを拭き具として用いた拭き掃除を行う生活者が増えている。
衛生技術という点では、カチオン界面活性剤の活用による菌に対するアプローチが一般的であるが、アニオン界面活性剤と併用した場合、効果を十分に発揮することが困難であった。
【０００３】
二度拭きを必要としない拭き掃除用の洗浄剤として、例えば特許文献１には、両性界面活性剤アルキルベタインと、エタノール及びイソプロパノールの少なくとも一方と、水と、殺菌剤等の添加剤とを含有する水性洗浄剤組成物が開示されている。
特許文献２には、界面活性剤と、カチオン系殺菌剤として特定の構造を有するポリヘキサメチレングアニジン・塩酸塩とを含有するトイレ用除菌洗浄剤組成物が開示されている。
【先行技術文献】
【特許文献】
【０００４】
【特許文献１】特開平０９−５３０９１号公報
【特許文献２】特開２０１２−１６２６３５号公報
【発明の概要】
【発明が解決しようとする課題】
【０００５】
しかしながら、特許文献１、２に記載の洗浄剤組成物の場合、一時的な除菌効果や殺菌効果はあるものの、菌の増殖やニオイの発生を抑制することは困難であった。
また、二度拭きを必要としない拭き掃除用の洗浄剤には、洗浄力はもちろんのこと、拭き取り洗浄後の洗浄対象物にべたつき、ぬるつきがなく、かつ拭き跡が残らないことが求められている。
これらの問題や要求のいずれかを解決できる技術は様々あるが、これらを全て満足する洗浄剤は今まで提案されていない。
【０００６】
本発明は上記事情を鑑みてなされたものであり、洗浄力に優れ、菌の増殖やニオイの発生を抑制でき、べたつきやぬるつきがなく、かつ拭き跡が残りにくい拭き取り用の液体洗浄剤を提供することを目的とする。
【課題を解決するための手段】
【０００７】
本発明は以下の態様を有する。
［１］  少なくともアニオン界面活性剤（Ａ１）を含む界面活性剤（Ａ）を０．１〜５質量％と、銅、マンガン、ニッケル、コバルト、鉄及び亜鉛から選択される少なくとも１種（Ｂ）と、下記一般式（ｃ１）で表される化合物及び下記一般式（ｃ２）で表される化合物から選択される少なくとも１種のキレート剤（Ｃ）と、ビグアニド系ポリマー（Ｄ）とを含有する、拭き取り用の液体洗浄剤。
【０００８】
【化１】
2015017156.tif 000002
【０００９】
式（ｃ１）中、Ｘ１１〜Ｘ１４は、それぞれ独立に、水素原子、アルカリ金属、アルカリ土類金属又はカチオン性アンモニウムを表し、Ｒ１１は水素原子又はヒドロキシ基を表し、ｎ１は０又は１の整数を表す。
【００１０】
【化２】
2015017156.tif 000003
【００１１】
式（ｃ２）中、Ａはアルキル基、カルボキシ基、スルホ基、アミノ基、ヒドロキシ基又は水素原子を表し、Ｘ２１〜Ｘ２３は、それぞれ独立に、水素原子、アルカリ金属、アルカリ土類金属又はカチオン性アンモニウムを表し、ｎ２は０〜５の整数を表す。
【発明の効果】
【００１２】
本発明の拭き取り用の液体洗浄剤は、洗浄力に優れ、菌の増殖やニオイの発生を抑制でき、べたつきやぬるつきがなく、かつ拭き跡が残りにくい。
【発明を実施するための形態】
【００１３】
本発明の拭き取り用の液体洗浄剤は、界面活性剤（Ａ）（以下、「（Ａ）成分」ということもある。）と、銅、マンガン、ニッケル、コバルト、鉄及び亜鉛から選択される少なくとも１種（Ｂ）（以下、「（Ｂ）成分」ということもある。）と、キレート剤（Ｃ）（以下、「（Ｃ）成分」ということもある。）と、ビグアニド系ポリマー（Ｄ）（以下、「（Ｄ）成分」ということもある。）とを含有するものである。
以下、各成分について説明する。
【００１４】
＜（Ａ）成分＞
（Ａ）成分は、界面活性剤である。拭き取り用の液体洗浄剤が（Ａ）成分を含有することで、拭き取り洗浄前の洗浄対象物（被洗物）に付着した汚れや臭気成分を良好に除去できると共に、消臭・防臭効果の向上が図れる。これは、拭き取り用の液体洗浄剤中で、（Ａ）成分が（Ｄ）成分と会合体を形成し、さらにこの会合体が（Ｂ）成分と（Ｃ）成分とで形成された錯体を取り込むことで、拭き取り洗浄後の被洗物に対する拭き取り用の液体洗浄剤の吸着力が向上し、抗菌効果および防臭効果を発揮するためと考えられる。
【００１５】
（Ａ）成分は少なくともアニオン界面活性剤（Ａ１）（以下、「（Ａ１）成分」ということもある。）を含む。
（Ａ１）成分としては、従来公知のアニオン界面活性剤が使用でき、例えばアルキルサルフェート、アルコールエトキシサルフェート、アルキルベンゼンスルホン酸、α−スルホ脂肪酸、α−オレフィンスルホン酸、アルキルスルホネート、アルキルタウレート、石鹸、アルキルエトキシカルボキシレート、アシルアラニネート、アルキルリン酸エステル、ジアルキルスルホコハク酸、アルカンスルホン酸、アルキルイミノジ酢酸等や、これらの塩などが挙げられる。塩としては、ナトリウム、カリウム等のアルカリ金属塩、アミン塩、アンモニウム塩などが挙げられる。これらの中でも、汚れや臭気成分の除去に優れ、高い消臭・防臭効果が得られる観点から、アルカンスルホン酸塩、ジアルキルスルホコハク酸塩が好ましい。また、拭き跡が残りにくい観点から、アルコールエトキシサルフェートが好ましい。
これらの（Ａ１）成分は、１種単独で用いてもよいし、２種以上を併用してもよい。
【００１６】
アルカンスルホン酸塩としては、二級アルカンスルホン酸塩（以下、「ＳＡＳ」ということもある。）が好ましい。
ＳＡＳは、「パラフィンスルホン酸塩」とも呼ばれる界面活性剤であって、通常、１分子当たり炭素数１０〜２１の二級アルキルスルホン酸塩の混合物の形態で提供される。本発明においては、この混合物中に１分子当たり炭素数１３〜１８の二級アルキルスルホン酸塩を８０質量％以上含有するものが好ましく、９０質量％以上含有するものがより好ましい。なお、この混合物には、少量の一級アルキルスルホン酸塩、ジスルホン酸塩、ポリスルホン酸塩が含まれていてもよい。
ＳＡＳとしては、下記一般式（ａ１）で表される化合物が好ましい。
【００１７】
【化３】
2015017156.tif 000004
【００１８】
式（ａ１）中、ｐ＋ｑ＝１０〜１４であり、Ｍ＋は対イオンである。
すなわち、前記式（ａ１）で表される化合物は、炭素数１３〜１７（ただし、式（ａ１）におけるＭ中の炭素数は含まない。）の二級アルキルスルホン酸塩である。
ｐ＋ｑが１０以上であると、洗浄力、特に油汚れに対する洗浄力がより向上する。一方、ｐ＋ｑが１４以下であると、式（ａ１）で表される化合物自体の溶解性が良好となるため、保存時における析出などが抑制される。
【００１９】
対イオンとなるＭとしては、アルカリ金属、アルカリ土類金属、アンモニウム、アルカノールアミンなどが挙げられる。アルカリ金属としては、ナトリウム、カリウムなどが挙げられる。アルカリ土類金属としては、カルシウム、マグネシウムなどが挙げられる。アルカノールアミンとしては、モノエタノールアミン、ジエタノールアミン、トリエタノールアミンなどが挙げられる。これらの中でもアルカリ金属が好ましく、ナトリウムが特に好ましい。
【００２０】
ＳＡＳとしては市販品を用いることができ、例えばクラリアントジャパン株式会社製の「ＨＯＳＴＡＰＵＲ  ＳＡＳ３０Ａ」、「ＨＯＳＴＡＰＵＲ  ＳＡＳ６０」（いずれも、炭素数１３〜１７の二級アルキルスルホン酸ナトリウムの含有量が９０質量％以上）；Ｂａｙｅｒ社製の「ＭＥＲＳＯＬ８０」（平均炭素数１５、炭素数１３〜１７の二級アルキルスルホン酸ナトリウムの含有量が８０質量％以上）；ＳＡＳＯＬ社製の「ＭＡＲＬＯＮ  ＰＳ６５」、「ＭＡＲＬＯＮ  ＰＳ６０」、「ＭＡＲＬＯＮ  ＰＳ６０Ｗ」（いずれも、炭素数１３〜１７の二級アルキルスルホン酸ナトリウムの含有量が９０質量％以上）などが挙げられる。
【００２１】
ジアルキルスルホコハク酸塩としては、ジアルキル（炭素数６〜１８）スルホコハク酸エステル塩（例えばジ−２−エチルヘキシルスルホコハク酸ナトリウム等）、（ポリ）オキシエチレン（平均繰り返し数＝１〜５０）ジアルキル（炭素数８〜２４）スルホコハク酸エステル塩（例えばジ−ポリオキシエチレン（平均繰り返し数＝２〜２０）ラウリルスルホコハク酸ナトリウム等）などが挙げられる。
【００２２】
アルコールエトキシサルフェートとしては、例えば炭素数２〜４のアルキレンオキサイドのいずれか、又はエチレンオキサイドとプロピレンオキサイド（モル比ＥＯ／ＰＯ＝０．１／９．９〜９．９／０．１）を、平均０．５〜１０モル付加した炭素数１０〜２０の直鎖状もしくは分岐鎖状のアルキル（又はアルケニル）基を有するアルキル（又はアルケニル）エーテル硫酸塩（ＡＥＳ）などが挙げられる。
【００２３】
（Ａ）成分は、（Ａ１）成分以外にも、両性界面活性剤（Ａ２）（以下、「（Ａ２）成分」ということもある。）、非イオン界面活性剤（Ａ３）（以下、「（Ａ３）成分」ということもある。）、半極性界面活性剤（Ａ４）（以下、「（Ａ４）成分」ということもある。）を含んでいてもよい。さらに、（Ａ）成分は、（Ａ１）〜（Ａ４）成分以外にも、通常の洗浄剤に使用される界面活性剤を含むことができる。
【００２４】
拭き取り用の液体洗浄剤が（Ａ２）成分を含有することで、特に乾燥尿に対する洗浄力が向上する。加えて、拭き取り洗浄後の被洗物がべたついたり、ぬるついたりしにくく、拭き跡も残りにくくなる。
（Ａ２）成分としては、従来公知の両性界面活性剤が使用できるが、下記一般式（ａ２−１）で表される化合物及び下記一般式（ａ２−２）で表される化合物から選択される少なくとも１種が好ましい。
【００２５】
【化４】
2015017156.tif 000005
【００２６】
式（ａ２−１）中、Ｒ３１は炭素数８〜２０のアルキル基又はアルケニル基を表し、Ｒ３２は炭素数１〜５のアルキレン基を表し、Ｒ３３及びＲ３４は、それぞれ独立に、水素原子又は炭素数１〜３のアルキル基を表し、Ｒ３５は炭素数１〜５のアルキレン基を表す。
【００２７】
式（ａ２−１）中、Ｒ３１のアルキル基及びアルケニル基は直鎖状であってもよいし、分岐鎖状であってもよい。Ｒ３１は炭素数１０〜１６の直鎖もしくは分岐アルキル基又はアルケニル基が好ましく、直鎖アルキル基がより好ましい。
Ｒ３２のアルキレン基は直鎖状であってもよいし、分岐鎖状であってもよい。Ｒ３２は炭素数１〜３の直鎖もしくは分岐アルキレン基が好ましく、直鎖アルキレン基がより好ましい。また、Ｒ３２のアルキレン基は無置換でもよいし、水素原子の一部が置換基で置換されていてもよいが、無置換であるものが好ましい。置換基としては、メチル基、エチル基等のアルキル基やヒドロキシ基が挙げられる。
Ｒ３３及びＲ３４のアルキル基は直鎖状であってもよいし、分岐鎖状であってもよい。Ｒ３３及びＲ３４はそれぞれ独立に、炭素数１〜３の直鎖もしくは分岐アルキル基が好ましい。Ｒ３３及びＲ３４は同じであってもよく、異なっていてもよい。特に、Ｒ３３及びＲ３４が共に炭素数１〜３の直鎖アルキル基であることが好ましい。
Ｒ３５のアルキレン基は直鎖状であってもよいし、分岐鎖状であってもよい。Ｒ３５は炭素数１〜３の直鎖もしくは分岐アルキレン基が好ましく、直鎖アルキレン基がより好ましい。Ｒ３５のアルキレン基は無置換でもよいし、水素原子の一部が上述した置換基で置換されていてもよいが、無置換であるものが好ましい。
【００２８】
式（ａ２−１）で表される化合物の具体例としては、ラウリン酸アミドプロピルベタイン、オクチルアミドプロピル−Ｎ，Ｎ−ジメチル酢酸ベタイン、ラウリルアミドプロピル−Ｎ，Ｎ−ジメチル酢酸ベタイン、ステアリル−Ｎ，Ｎ−ジメチル酢酸ベタイン、ステアリル−Ｎ，Ｎ−ジメチル−２−ヒドロキシプロピルベタインなどが挙げられる。これらの中でも、ラウリン酸アミドプロピルベタインが特に好ましい。
式（ａ２−１）で表される化合物としては市販品を用いることができ、例えばラウリン酸アミドプロピルベタインとして、ライオン株式会社製の「エナジコールＬ−３０Ｂ」；ヤシ油脂肪酸アミドプロピルベタインとして、一方社油脂工業株式会社製の「ＣＡＢ−３０」；ヤシ油脂肪酸アミドプロピルベタインとして、デグサ社製の「ＴＥＧＯ  ＢＥＴＡＩＮ  ＣＫ−ＯＫ」；パーム核油脂肪酸アミドプロピルベタインとして、ミヨシ油脂株式会社製の「アンホレックスＰＢ−１」などが挙げられる。
【００２９】
【化５】
2015017156.tif 000006
【００３０】
式（ａ２−２）中、Ｒ４１は、炭素数８〜１８のアルキル基又はアルケニル基を表し、Ｒ４２及びＲ４３は、それぞれ独立に、炭素数１〜４のアルキル基又はアルケニル基を表し、Ｒ４４は炭素数１〜６のアルキレン基又はヒドロキシアルキレン基を表す。
【００３１】
式（ａ２−２）中、Ｒ４１のアルキル基及びアルケニル基は直鎖状であってもよいし、分岐鎖状であってもよい。Ｒ４１は炭素数１０〜１６の直鎖もしくは分岐アルキル基又はアルケニル基が好ましく、直鎖アルキル基がより好ましい。
Ｒ４２及びＲ４３のアルキル基及びアルケニル基は直鎖状であってもよいし、分岐鎖状であってもよい。Ｒ４２及びＲ４３はそれぞれ独立に、炭素数１〜３の直鎖もしくは分岐アルキル基又はアルケニル基が好ましく、直鎖アルキル基がより好ましい。Ｒ４２及びＲ４３は同じであってもよく、異なっていてもよい。特に、Ｒ４２及びＲ４３が共に炭素数１〜３の直鎖アルキル基であることが好ましい。
Ｒ４４のアルキレン基及びヒドロキシアルキレンは直鎖状であってもよいし、分岐鎖状であってもよい。Ｒ４４は炭素数１〜３の直鎖もしくは分岐アルキレン基又はヒドロキシアルキレン基好ましく、直鎖アルキレン基がより好ましい。
【００３２】
式（ａ２−２）で表される化合物の具体例としては、ヤシ油アルキルジメチルアミノ酢酸ベタイン、ラウリルジメチルアミノ酢酸ベタイン、パルミチルジメチルアミノ酢酸ベタイン、ステアリルジメチルアミノ酢酸ベタインなどが挙げられる。これらの中でも、ラウリルジメチルアミノ酢酸ベタインが特に好ましい。
式（ａ２−２）で表される化合物としては市販品を用いることができ、例えばラウリルジメチルアミノ酢酸ベタインとして、三洋化成工業株式会社製の「レボンＬＤ−３６」、東邦化学工業株式会社製の「オバゾリンＬＢ−ＳＦ」；ステアリルジメチルアミノ酢酸ベタインとして、花王株式会社製の「アンヒトール８６Ｂ」などが挙げられる。
【００３３】
（Ａ２）成分としては、ラウリン酸アミドプロピルベタイン、ラウリルジメチルアミノ酢酸ベタインが特に好ましい。
【００３４】
（Ａ３）成分としては、従来公知の非イオン界面活性剤が使用でき、例えばポリオキシエチレンアルキルエーテル、ポリオキシエチレンポリオキシプロピレンアルキルエーテル、ポリオキシエチレンアルキルフェニルエーテル、アルキルポリグルコシド、脂肪酸ポリグリセリンエステル、脂肪酸ショ糖エステル、脂肪酸アルカノールアミドなどが挙げられる。これらの中でも、アルキルポリグルコシドが好ましい。
【００３５】
（Ａ４）成分としては、従来公知の半極性界面活性剤が使用できる。
ここで、「半極性界面活性剤」とは、半極性結合（無極性結合及び極性結合の中間の性質を有する結合）を有する界面活性剤のことであり、半極性界面活性剤が溶解する溶液または分散する分散系のｐＨにより、カチオン性、アニオン性、または両極性となる。
（Ａ４）成分としては、ドデシルジメチルアミンオキサイド、ミリスチルジメチルアミンオキサイド、ヤシアルキルジメチルアミンオキサイド等のアルキルアミンオキサイド；ヤシ油脂肪酸アミドプロピルアミンオキサイド、ラウリン酸アミドプロピルアミンオキサイド等のアミドアミンオキサイドなどが挙げられる。
【００３６】
拭き取り用の液体洗浄剤１００質量％中の（Ａ）成分の含有量は、０．１〜５質量％であり、０．３〜３質量％が好ましく、０．７〜２．２質量％がより好ましい。（Ａ）成分の含有量が上記下限値未満であると、十分な洗浄力が得られない。一方、（Ａ）成分の含有量が上記上限値超であると、拭き取り洗浄時のべたつきやぬるつきを抑制しにくくなると共に、拭き跡が残りやすくなる。
【００３７】
また、（Ａ）成分１００質量％中の（Ａ１）成分の含有量は、１０質量％以上が好ましく、２０〜８０質量％がより好ましく、４０〜６０質量％がさらに好ましい。（Ａ１）成分の含有量が上記下限値未満であると、洗浄力が不十分になるおそれがある。一方、（Ａ１）成分の含有量が上記上限値超であると、拭き跡が残りやすくなるおそれがある。また、抗菌力が不十分になるおそれがある。
【００３８】
＜（Ｂ）成分＞
（Ｂ）成分は、銅、マンガン、ニッケル、コバルト、鉄及び亜鉛から選択される少なくとも１種である。拭き取り用の液体洗浄剤が（Ｂ）成分を含有することで、優れた消臭・防臭効果を発揮する。これは、拭き取り用の液体洗浄剤中で（Ｂ）成分が（Ｃ）成分と錯体を形成し、この錯体が微生物の増殖を抑制したり、臭気を吸着したりするためと考えられる。
【００３９】
（Ｂ）成分としては、マンガン、銅又は亜鉛が好ましく、銅又は亜鉛がより好ましく、亜鉛がさらに好ましい。これらの（Ｂ）成分を用いることで、消臭・防臭効果をさらに高められる。
【００４０】
（Ｂ）成分は、各種金属化合物として配合されてもよいし、後述する（Ｃ）成分との錯体として配合されてもよい。ただし、拭き取り用の液体洗浄剤の美観、生産効率等の観点から、（Ｂ）成分を金属化合物として配合することが好ましい。
【００４１】
金属化合物は、水に溶解するものであればよく、金属化合物を形成する塩としては、硝酸塩、硫酸塩、塩化物、過塩素酸過物、塩化アンモニウム塩、シアン化物等の無機塩、酢酸塩、グルコン酸塩、酒石酸塩、グリシン塩等の有機塩等が挙げられる。
【００４２】
マンガン化合物としては、水中でマンガンイオンを放出するものであれば特に限定されず、例えば、硝酸マンガン、硫酸マンガン、塩化マンガン、酢酸マンガン、過塩素酸マンガン、マンガンアセチルアセトナート等が挙げられる。これらの中でも、取り扱い性、コスト、原料供給性等の点で硫酸マンガン、塩化マンガンが好ましい。
銅化合物としては、水中で銅イオンを放出するものであれば特に限定されず、例えば、硝酸銅、硫化銅、硫酸銅、塩化銅、酢酸銅、シアン化銅、塩化アンモニウム銅、グルコン酸銅、酒石酸銅、過塩素酸銅等が挙げられる。これらの中でも、取り扱い性、コスト、原料供給性等の点で硫酸銅、塩化銅、グルコン酸銅が好ましく、硫酸銅がより好ましい。
亜鉛化合物としては、水中で亜鉛イオンを放出するものであれば特に限定されず、例えば、硝酸亜鉛、硫化亜鉛、硫酸亜鉛、塩化亜鉛、酢酸亜鉛、シアン化亜鉛、塩化アンモニウム亜鉛、グルコン酸亜鉛、酒石酸亜鉛、過塩素酸亜鉛等が挙げられる。これらの中でも、取り扱い性、コスト、原料供給性等の点で硫酸亜鉛、塩化亜鉛、グルコン酸塩が好ましく、硫酸亜鉛がより好ましい。
【００４３】
拭き取り用の液体洗浄剤１００質量％中の（Ｂ）成分の含有量は、（Ｂ）成分の種類を勘案して決定でき、例えば、０．１〜５質量％が好ましい。（Ｂ）成分の含有量が上記下限値未満であると、消臭・防臭効果が不十分になるおそれがある。一方、（Ｂ）成分の含有量が上記上限値超であると、拭き跡が残りやすくなるおそれがある。
【００４４】
例えば、（Ｂ）成分としてマンガンを用いる場合、拭き取り用の液体洗浄剤１００質量％中のマンガンの含有量は、０．００１〜０．５質量％が好ましく、０．０１〜０．３質量％がより好ましく、０．０２〜０．１５質量％がさらに好ましい。マンガンの含有量が上記下限値未満であると、消臭効果が不十分になるおそれがあり、上記上限値超としても、消臭効果のさらなる向上が図れないおそれがあるためである。
あるいは、（Ｂ）成分として銅を用いる場合、拭き取り用の液体洗浄剤１００質量％中の銅の含有量は、０．００１〜０．５質量％が好ましく、０．０１〜０．３質量％がより好ましく、０．０２〜０．１５質量％がさらに好ましい。銅の含有量が上記下限値未満であると、消臭効果が不十分になるおそれがあり、上記上限値超としても、消臭効果のさらなる向上が図れないおそれがあるためである。
また、例えば、（Ｂ）成分として亜鉛を用いる場合、拭き取り用の液体洗浄剤１００質量％中の亜鉛の含有量は、０．００２〜２質量％が好ましく、０．０２〜１質量％がより好ましく、０．０５〜０．５質量％がさらに好ましい。亜鉛の含有量が上記下限値未満であると、消臭効果が不十分になるおそれがあり、上記上限値超としても、消臭効果のさらなる向上が図れないおそれがあるためである。
【００４５】
（Ｂ）成分を（Ｃ）成分との錯体として配合する場合、錯体は、例えば、国際公開第０９／０７８４５９号に記載の錯体の製造方法により製造できる。
【００４６】
＜（Ｃ）成分＞
（Ｃ）成分は、下記一般式（ｃ１）で表される化合物及び下記一般式（ｃ２）で表される化合物から選択される少なくとも１種のキレート剤である。これらキレート剤は、（Ｂ）成分と錯体を形成するアミノカルボン酸型金属イオン封鎖剤である。拭き取り用の液体洗浄剤が（Ｃ）成分を含有することで、優れた消臭・防臭効果を発揮する。
【００４７】
【化６】
2015017156.tif 000007
【００４８】
式（ｃ１）中、Ｘ１１〜Ｘ１４は、それぞれ独立に、水素原子、アルカリ金属、アルカリ土類金属又はカチオン性アンモニウムを表し、Ｒ１１は水素原子又はヒドロキシ基を表し、ｎ１は０又は１の整数を表す。
【００４９】
式（ｃ１）中、Ｘ１１〜Ｘ１４におけるアルカリ金属としては、ナトリウム、カリウムなどが挙げられる。アルカリ土類金属としては、カルシウム、マグネシウムなどが挙げられる。なお、Ｘ１１〜Ｘ１４のうち少なくとも１つがアルカリ土類金属である場合には１／２原子分に相当する。例えば、Ｘ１１がカルシウムの場合、−ＣＯＯＸ１１は、「−ＣＯＯ−１／２（Ｃａ）」となる。
カチオン性アンモニウムとしては、モノエタノールアミン、ジエタノールアミン等のアルカノールアミンが挙げられ、例えば、アンモニウムの水素原子の１〜３個がアルカノール基で置換されたものが挙げられる。アルカノール基の炭素数は１〜３が好ましい。
中でも、Ｘ１１〜Ｘ１４は、アルカリ金属が好ましい。
式（ｃ１）中のＸ１１〜Ｘ１４は、それぞれ、同じであってもよく、異なっていてもよい。
【００５０】
式（ｃ１）中のＲ１１は、水素原子、ヒドロキシ基のいずれであってもよい。
式（ｃ１）中のｎ１は、１が好ましい。
【００５１】
式（ｃ１）で表される化合物としては、例えばイミノジコハク酸、３−ヒドロキシ−２，２’−イミノジコハク酸又はそれらの塩等が挙げられる。塩としては、ナトリウム塩、カリウム塩等のアルカリ金属塩、モノエタノールアミン塩、ジエタノールアミン塩等のアルカノールアミン塩などが挙げられる。これらの中でも、ナトリウム塩又はカリウム塩がより好ましい。
【００５２】
【化７】
2015017156.tif 000008
【００５３】
式（ｃ２）中、Ａはアルキル基、カルボキシ基、スルホ基、アミノ基、ヒドロキシ基又は水素原子を表し、Ｘ２１〜Ｘ２３は、それぞれ独立に、水素原子、アルカリ金属、アルカリ土類金属又はカチオン性アンモニウムを表し、ｎ２は０〜５の整数を表す。
【００５４】
式（ｃ２）中、Ｘ２１〜Ｘ２３におけるアルカリ金属、アルカリ土類金属、カチオン性アンモニウムとしては、それぞれ、前記Ｘ１１〜Ｘ１４におけるアルカリ金属、アルカリ土類金属、カチオン性アンモニウムと同様のものが挙げられる。Ｘ２１〜Ｘ２３は、アルカリ金属が好ましい。
式（ｃ２）中のＸ２１〜Ｘ２３は、それぞれ、同じであってもよく、異なっていてもよい。
【００５５】
式（ｃ２）のＡにおけるアルキル基は、直鎖状であってもよいし、分岐鎖状であってもよい。アルキル基の炭素数は１〜３０が好ましく、１〜１８がより好ましい。該アルキル基は、その水素原子の一部が置換基にて置換されていてもよい。置換基としては、スルホ基（−ＳＯ３Ｈ）、アミノ基（−ＮＨ２）、ヒドロキシ基、ニトロ基（−ＮＯ２）等が挙げられる。
Ａは、アルキル基、カルボキシ基、スルホ基、アミノ基、ヒドロキシ基、水素原子のいずれであってもよく、水素原子が好ましい。
式（ｃ２）中のｎ２は、０〜２の整数が好ましく、１がより好ましい。
【００５６】
式（ｃ２）で表される化合物としては、例えばニトリロトリ酢酸、メチルグリシンジ酢酸、ジカルボキシメチルグルタミン酸、Ｌ−アスパラギン酸−Ｎ，Ｎ−二酢酸、セリン二酢酸、ヒドロキシエチルイミノ二酢酸又はそれらの塩等が挙げられる。これらの中でも、ニトリロトリ酢酸、メチルグリシンジ酢酸、ジカルボキシメチルグルタミン酸、Ｌ−アスパラギン酸−Ｎ，Ｎ−二酢酸又はそれらの塩が好ましく、メチルグリシンジ酢酸又はその塩がより好ましい。塩としては、ナトリウム塩、カリウム塩等のアルカリ金属塩や、モノエタノールアミン塩、ジエタノールアミン塩等のアルカノールアミン塩などが挙げられる。これらの中でも、ナトリウム塩又はカリウム塩が好ましい。
【００５７】
これらの（Ｃ）成分は、１種単独で用いてもよいし、２種以上を併用してもよい。
拭き取り用の液体洗浄剤１００質量％中の（Ｃ）成分の含有量は、特に限定されないが、０．１〜５質量％が好ましく、０．２〜２質量％がより好ましく、０．２〜０．５質量％がさらに好ましい。（Ｃ）成分の含有量が上記範囲内であれば、消臭・防臭効果をより高められる。
【００５８】
また、（Ｂ）成分中の金属イオンと（Ｃ）成分のモル比（以下、「（Ｂ）／（Ｃ）モル比」ということもある。）は、０．３〜５が好ましく、０．４〜３がより好ましく、０．５〜２がさらに好ましく、１が特に好ましい。（Ｂ）／（Ｃ）モル比が上記範囲内であれば、消臭・防臭効果、および抗菌力をより高められる。
【００５９】
＜（Ｄ）成分＞
（Ｄ）成分は、ビグアニド系ポリマーである。
（Ｄ）成分と（Ａ）成分とを併用することで、抗菌力および消臭・防臭効果が高まる。（Ａ）成分と（Ｄ）成分とを併用することにより、優れた抗菌力と、優れた消臭・防臭効果とを発揮する理由は定かではないが、以下のように推測される。
拭き取り用の液体洗浄剤中で（Ａ）成分と（Ｄ）成分とは、会合体（以下、「Ａ−Ｄ会合体」ということもある。）を形成する。このＡ−Ｄ会合体は、（Ｄ）成分単独に比べて被洗物に吸着しやすい。このため、Ａ−Ｄ会合体として被洗物に付着した（Ｄ）成分により抗菌作用が発揮される。
加えて、菌が生育しやすい高湿度条件においては、微生物が洗浄で取り除けなかった汚れを代謝して、悪臭成分を産生する。被洗物に付着した（Ｄ）成分は、その菌増殖抑制効果により増菌を抑制して、消臭効果にも寄与すると考えられる。
さらに、Ａ−Ｄ会合体が（Ｂ）成分と（Ｃ）成分とで形成される錯体を取り込み、この錯体との相乗効果により、優れた消臭・防臭効果が発揮される。
【００６０】
（Ｄ）成分としては、例えば、下記一般式（ｄ１）で表されるポリアルキレンビグアニド化合物等のビグアニド化合物が好ましい。
【００６１】
【化８】
2015017156.tif 000009
【００６２】
式（ｄ１）中、ｎ５は、［（ＣＨ２）３−ＮＨ−Ｃ（ＮＨ）−ＮＨ−Ｃ（ＮＨ）−ＮＨ−（ＣＨ２）３］で表される単位の平均繰り返し数を表す１〜４０の数であり、好ましくは２〜１４であり、より好ましくは１１〜１３であり、さらに好ましくは１２である。ｎ５が上記下限値以上であれば、（Ｄ）成分は、（Ｂ）成分と（Ｃ）成分とで形成される錯体を取り込んだ（Ａ）成分との会合体を形成し、被洗浄物に吸着されやすくなる。このため、菌増殖抑制効果に加え消臭・防臭効果をより高められる。
ｎ５の平均が上記上限値以下であれば、（Ｄ）成分の水への溶解性が良好となり、拭き取り用の液体洗浄剤の経時における液安定性を高められる。
【００６３】
式（ｄ１）中、ＨＹは、有機酸又は無機酸を示し、塩酸、グルコン酸、酢酸が好ましく、塩酸がより好ましい。
【００６４】
式（ｄ１）中、ｍ５は、ｎ５と同じであってもよいし、異なっていてもよい。ＨＹは、ビグアニド基の窒素原子と部分的に結合して塩を形成するため、ｎ５とｍ５とは異なっていてもよい。
【００６５】
（Ｄ）成分としては、市販のものを用いることができ、式（ｄ１）のｎ５が１２、ＨＹがＨＣｌであり、純分２０質量％の水分散液（ｐＨ４．５）であるポリヘキサメチレンビグアニド塩酸塩（アーチ・ケミカルズ・ジャパン株式会社製、「Ｐｒｏｘｅｌ  ＩＢ（登録商標）」）などが挙げられる。
これらの（Ｄ）成分は、１種単独で用いてもよいし、２種以上を併用してもよい。
【００６６】
拭き取り用の液体洗浄剤１００質量％中の（Ｄ）成分の含有量は、０．００２〜１質量％が好ましく、０．００５〜０．１質量％がより好ましく、０．００８〜０．０２質量％がさらに好ましい。（Ｄ）成分の含有量が上記下限値未満であると、抗菌力が不十分になるおそれがある。一方、（Ｄ）成分の含有量が上記上限値超であると、洗浄力が不十分になると共に、拭き跡が残るおそれがある。
【００６７】
また、（Ａ１）成分／（Ｄ）成分で表される質量比（以下、「（Ａ１）／（Ｄ）質量比」ということもある。）は、１〜５００が好ましく、１０〜２００がより好ましく、５０〜１２５がさらに好ましい。（Ａ１）／（Ｄ）質量比が上記範囲内であれば、（Ｂ）成分と（Ｃ）成分との錯体が、Ａ−Ｄ会合体を介して被洗物に良好に吸着し残留することで、消臭・防臭効果をより高められる。また、洗浄力と抗菌力のバランスも良好となる。
【００６８】
＜任意成分＞
拭き取り用の液体洗浄剤は、（Ａ）〜（Ｄ）成分に加え、溶媒を含有する。また、拭き掃除用の洗浄剤に用いられる通常の添加剤を含有してもよい。
溶媒としては、水、水溶性溶媒などが挙げられる。
水溶性溶媒としては、任意の比率で水と混ぜて透明に混ざるものであれば特に制限されないが、例えばエタノール、イソプロパノールなどの炭素数２〜３の１級アルコール；エチレングリコール、プロピレングリコール、ジプロピレングリコールなどの炭素数２〜６のグリコール類；グリセリン、ジエチレングリコールモノブチルエーテルなどの炭素数３〜８の多価アルコール類などが挙げられる。これらの中でも、拭き取り用の液体洗浄剤の香気に及ぼす影響、トイレットペーパーの破れにくさ、価格の点からエタノールが好ましい。
これらの溶媒は、１種単独で用いてもよいし、２種以上を併用してもよい。
【００６９】
水溶性溶媒としてエタノールを用いる場合、拭き取り用の液体洗浄剤１００質量％中のエタノールの含有量は、１５質量％以上が好ましく、１５〜２５質量％がより好ましく、１８〜２２質量％がさらに好ましい。エタノールの含有量が上記下限値未満であると、トイレットペーパーのような破れやすい拭き具を用いて拭き取り掃除を行った場合、拭き具が破れるおそれがあり、上記上限値超としても、破れ抑制効果のさらなる向上が図れないおそれがあるためである。
【００７０】
添加剤としては、例えば香料、色素、粘度調整剤、ｐＨ調整剤、増粘剤、表面改質剤、酸化防止剤、紫外線吸収剤、可溶化剤、キレート剤（ただし、（Ｃ）成分を除く。）、高分子化合物、防腐剤、抗菌剤、天然物等のエキス、分散剤などが挙げられる。
【００７１】
＜製造方法＞
拭き取り用の液体洗浄剤の製造方法としては特に制限されず、例えば（Ａ）〜（Ｄ）成分と、溶媒と、必要に応じて添加剤とを混合することにより製造される。このとき、拭き取り用の液体洗浄剤の２５℃におけるｐＨがｐＨ３〜１１となるように、ｐＨ調整剤等で拭き取り用の液体洗浄剤のｐＨを調整することが好ましい。
ｐＨを下げるために用いる酸としては、例えば塩酸、硫酸等の無機酸；酢酸、クエン酸等のカルボン酸などが挙げられる。一方、ｐＨを上げるために用いるアルカリとしては、例えば水酸化ナトリウム、水酸化カリウム等のアルカリ金属塩；トリエタノールアミン等のアルカノールアミンなどが挙げられる。これらの中でも、拭き跡が残りにくい点で、酸としてはクエン酸が好ましく、アルカリとしては水酸化カリウムが好ましい。
【００７２】
＜洗浄方法＞
本発明の拭き取り用の液体洗浄剤を用いた被洗物の洗浄方法としては、例えば拭き取り用の液体洗浄剤をトリガー式スプレーヤーに収容し、当該トリガー式スプレーヤーから泡状に吐出して被洗物に塗布し、その後すぐに又は適宜放置した後、該塗布した部位を拭き具で拭き取ることにより被洗物を洗浄する方法が挙げられる。また、拭き具に拭き取り用の液体洗浄剤を塗布して、被洗物に付着した汚れ等を拭き取ってもよい。
なお、本発明の拭き取り用の液体洗浄剤は、衣料などの繊維製品用の洗濯用洗浄剤とは異なるものである。
【００７３】
被洗物としては、拭き取り用の液体洗浄剤をトリガー式スプレーヤーから吐出して塗布することが可能であれば特に制限されず、たとえば、衣料、バスタオル、ハンカチ、テーブルクロス、ランチョンマット、カーテン、ソファー、カーペット等の繊維製品；台所用品、浴室、トイレ、リビングの床、壁、家具等の硬表面などが挙げられる。なかでも、本発明の拭き取り用の液体洗浄剤は、水で洗い流すことが困難な場所や物の洗浄において特に好適である。
拭き具としては、布製品；トイレットペーパー、ティッシュペーパー、キッチンペーパー等の紙製品などが挙げられる。特に拭き取り用の液体洗浄剤がエタノールを含有していれば、拭き取り時にトイレットペーパー等の紙製品が破れにくい。
【００７４】
トリガー式スプレーヤーとしては特に制限されるものではなく、一般に、洗浄剤製品（トリガー式スプレーヤーに洗浄剤組成物が収容されたもの）に用いられているものが挙げられる。
具体的には、拭き取り用の液体洗浄剤を霧状に吐出できるものであればよい。また、泡形成機能を備え、霧状にも泡状にも吐出できる、これらの切り替えが可能なものでもよい。また、拭き取り用の液体洗浄剤を広範囲に吐出するワイドパターンと、狭範囲に吐出するナローパターンとの切り替えが可能なものでもよい。
【００７５】
＜作用効果＞
以上説明した本発明の拭き取り用の液体洗浄剤によれば、（Ａ）〜（Ｄ）成分の相互作用により、洗浄力に優れ、菌の増殖やニオイの発生を抑制できる。
本発明の拭き取り用の液体洗浄剤が抗菌力及び消臭・防臭効果に優れる理由は定かではないが、以下のように推測される。
拭き取り用の液体洗浄剤中では、（Ｂ）成分と（Ｃ）成分とが錯体（以下、「金属錯体」ということもある。）を形成する。この金属錯体は、（Ｂ）成分単体及び（Ｃ）成分単体に比べて水溶性が低いため、Ａ−Ｄ会合体中に容易に取り込まれる。このＡ−Ｄ会合体中に取り込まれた金属錯体は、金属錯体単独に比べて容易かつ強固に被洗物に吸着し、残留する。
被洗物に吸着された金属錯体の（Ｂ）成分周辺では、配位子となる（Ｃ）成分や、（Ｂ）成分に配位している水が、他の物質と置換されやすい状態になっていると考えられる。このため、被洗物に吸着した金属錯体においてはプラスに荷電しやすい臭気が、（Ｂ）成分と置換して金属錯体中の（Ｃ）成分と結合し、マイナスに荷電しやすい臭気が、水又は（Ｃ）成分と置換して金属錯体中の（Ｂ）成分と結合すると考えられる。このように、金属錯体は、臭気成分を良好に捕捉すると推測される。
そして、脂肪酸系、アミン系、チオール系等の様々な臭気を消臭できるものと考えられる。
さらに、臭気成分が金属錯体によって捕捉される効果は、継続して発揮される。よって、菌の増殖やニオイの発生を長時間にわたって抑制できる。
【００７６】
また、本発明の拭き取り用の液体洗浄剤は、（Ａ）成分の含有量が５質量％以下であるため、拭き取り洗浄後のべたつきやぬるつきがなく、かつ拭き跡が残りにくい。
特に、拭き取り用の液体洗浄剤が（Ａ２）成分を含有すれば、べたつきやぬるつきの抑制効果が高まると共に、拭き跡もより残りにくくなる。
【実施例】
【００７７】
以下、実施例を示して本発明を詳細に説明するが、本発明は以下の記載によって限定されるものではない。なお、各例で用いた成分の配合量は、特に断りのない限り純分換算値である。
【００７８】
「使用原料」
（Ａ）成分として、以下に示す化合物を用いた。
・（Ａ１−１）：二級アルカンスルホン酸ナトリウム（ＳＡＳ）（クラリアントジャパン株式会社製、「ＨＯＳＴＡＰＵＲ  ＳＡＳ６０」、平均分子量３２８）
・（Ａ１−２）：ポリオキシエチレンアルキルエーテル硫酸エステルナトリウム（ＡＥＳ）（ライオン株式会社製、「サンノールＴＤ−３１３０」）
・（Ａ２−１）：ラウリン酸アミドプロピルベタイン（ＬＰＢ）（ライオン株式会社製、「エナジコールＬ−３０Ｂ」）
・（Ａ２−２）：ラウリルジメチルアミノ酢酸ベタイン（ＬＤＢ）（三洋化成工業株式会社製、「レボンＬＤ−３６」）
・（Ａ３−１）：炭素数１２−１６のアルキルポリグルコシド（ＡＰＧ）（Ｃｏｇｎｉｓ社製、「ＰＬＡＮＴＡＣＡＲＥ  １２００ｕｐ」）
・（Ａ３−２）：炭素数８−１０のアルキルポリグルコシド（ＡＰＧ）（ＢＡＳＦジャパン株式会社製、「ＧＬＵＣＯＰＯＮ  ２１５ｕｐ」）
・（Ａ４−１）：ドデシルジメチルアミンオキシド（ＡＸ）（ライオン・アクゾ株式会社製、「アロモックスＤＭ１２Ｄ−Ｗ（Ｃ）」）
【００７９】
（Ｂ）成分として、以下に示す化合物を用いた。
・（Ｂ−１）：硫酸亜鉛・７水和物（関東化学株式会社製）
【００８０】
（Ｃ）成分および（Ｃ）成分の代替品（（Ｃ'）成分）として、以下に示す化合物を用いた。
・（Ｃ−１）：メチルグリシンジ酢酸３ナトリウム（ＭＧＤＡ）（ＢＡＳＦ社製）
・（Ｃ'−１）：エチレンジアミン４酢酸（ＥＤＴＡ）（関東化学株式会社製）
【００８１】
（Ｄ）成分および（Ｄ）成分の代替品（（Ｄ'）成分）として、以下に示す化合物を用いた。
・（Ｄ−１）：ポリヘキサメチレンビグアニド塩酸塩（アーチ・ケミカルズ・ジャパン株式会社製、「Ｐｒｏｘｅｌ  ＩＢ」）
・（Ｄ'−１）：ジデシルジメチルアンモニウム塩（ライオン・アクゾ株式会社製、「アーカード２１０−５０」）
【００８２】
「実施例１」
＜拭き取り用の液体洗浄剤の調製＞
表１に示す配合で各成分を混合して、混合物のｐＨが７になるようにｐＨ調整剤（水酸化カリウム、クエン酸）を用いて調整し、拭き取り用の液体洗浄剤を得た。
得られた拭き取り用の液体洗浄剤について、以下に示す評価を行った。結果を表１に示す。
なお、表１中の配合量の単位は質量％であり、純分換算量を示す。また、バランス量の水とは、最終生成物である拭き取り用の液体洗浄剤の総量（全体量）が１００質量％になるように配合量を調整した水のことである。
【００８３】
＜抗菌力の評価＞
ＪＩＳ  Ｚ  ２８０１に準拠し、以下のようにして抗菌試験を行った。
まず、５ｃｍ×５ｃｍのポリプロピレン板（ＰＰ板）上に、拭き取り用の液体洗浄剤１００μＬを塗布した。２３ｃｍ×１８ｃｍのティッシュペーパーを８等分に切り、その１つを４つ折りにした拭き具で、ＰＰ板上の拭き取り用の液体洗浄剤を拭き取った。拭き取り後のＰＰ板をテストピースとした。
ＪＩＳ  Ｌ  １９０２に基づいて培養を行った大腸菌および黄色ブドウ球菌を１／５００ＮＢの液体培地によって懸濁して、菌数が２．５〜１０×１０５個／ｍＬとなるように濃度調製し、これを菌液とした。
滅菌シャーレに入れたテストピース上に菌液０．４ｍＬを塗布し、その上に４ｃｍ×４ｃｍの強化ポリエチレンフィルム（オルガノ株式会社製、「ストマッカーフィルム４００型」）を密着させ、温度３５±１℃、湿度９０％以上の条件で２４時間培養した。培養後のコロニー数をカウントして生菌数を求めた。
拭き取り用の液体洗浄剤による拭き取りを行わなかったＰＰ板（未処理のＰＰ板）についてもテストピースと同様の操作を行って生菌数を測定し、これらの測定値より抗菌活性値を下記式（ｉ）より算出し、以下の評価基準にて抗菌力を評価した。
抗菌活性値＝ｌｏｇ（未処理のＰＰ板の生菌数）−ｌｏｇ（テストピースの生菌数）    ・・・（ｉ）
【００８４】
（評価基準）
◎◎◎：抗菌活性値が４以上。
◎◎：抗菌活性値が３以上４未満。
◎：抗菌活性値が２以上３未満。
○：抗菌活性値が１以上２未満。
×：抗菌活性値が１未満。
【００８５】
＜洗浄力の評価＞
<<尿汚れに対する洗浄力>>
成人男性３人より採取した尿１００ｍＬずつを混合し、これを混合尿とした。
スライドガラス上に混合尿５０μＬを滴下し、室温で乾燥するまで放置した。乾燥後の混合尿の上に拭き取り用の液体洗浄剤１００μＬを塗布した後、トイレットペーパー（日本製紙クレシア株式会社製、「クリネックス（シングル）」１１．５ｃｍ×３０ｃｍ）を８つ折りにした拭き具で拭き取った。拭き取り後の尿汚れの残り具合を目視で確認し、ざらつきの残り具合を触感で確認し、以下の評価基準にて尿汚れに対する洗浄力を評価した。
（評価基準）
◎◎：ひと拭きで尿汚れが全て落ちた。
◎：１往復の拭き取りで尿汚れが全て落ちた。
○：１．５往復の拭き取りで尿汚れが全て落ちた。
×：全ての尿汚れを落とすのに２往復以上かかった。
【００８６】
<<油汚れに対する洗浄力>>
２５℃、６５％ＲＨ（相対湿度）の環境において、赤色に着色したトリオレイン３０ｍｇを一様に塗布した１０ｃｍ四方の木製テーブル面上に対し、拭き取り用の液体洗浄剤０．３ｍＬを塗布した後、４つ折りにした１ｇのティッシュペーパーで拭き取った。拭き取り後の油汚れ（トリオレイン）の残り具合を目視で確認し、ざらつきの残り具合を触感で確認し、以下の評価基準にて油汚れに対する洗浄力を評価した。
（評価基準）
◎◎：ひと拭きで油汚れが全て落ちた。
◎：１往復の拭き取りで油汚れが全て落ちた。
○：１．５往復の拭き取りで油汚れが全て落ちた。
×：全ての油汚れを落とすのに２往復以上かかった。
【００８７】
＜防臭力の評価＞
<<尿臭に対する防臭力>>
成人男性３人より採取した尿１００ｍＬずつを混合し、これを混合尿とした。
まず、５ｃｍ×５ｃｍのポリプロピレン板（ＰＰ板）上に、拭き取り用の液体洗浄剤１００μＬを塗布した。２３ｃｍ×１８ｃｍのティッシュペーパーを８等分に切り、その１つを４つ折りにした拭き具で、ＰＰ板上の拭き取り用の液体洗浄剤を拭き取った。
拭き取り後のＰＰ板上に混合尿５０μＬを滴下し、室温で乾燥するまで放置した後、４５０ｍＬのガラス瓶内に入れて蓋をした。この状態で４０℃に加温しながら１時間放置した後、室温に戻し、ガラス瓶内の臭気を専門パネラー１０名により、下記６段階臭気強度表示法に基づいて官能評価した。
（６段階臭気強度表示法）
５点：耐えられない程度の強い臭気。
４点：強い臭気。
３点：明らかに感じる臭気。
２点：何のニオイかわかる程度の臭気。
１点：やっと感知できる程度の臭気。
０点：無臭。
【００８８】
専門パネラー１０名による官能評価の平均点を求め、以下の評価基準にて尿臭の抑制効果を評価した。
（評価基準）
◎◎◎：平均点が１点未満。
◎◎：平均点が１点以上１．５点未満。
◎：平均点が１．５点以上２点未満。
○：平均点が２点以上３点未満。
×：平均点が３点以上。
【００８９】
<<食材の腐敗臭に対する防臭力>>
キャベツを千切りにしたもの５０ｇと、イワシをすりつぶしたもの５０ｇとを混合し、これを混合食材とした。
まず、５ｃｍ×５ｃｍのポリプロピレン板（ＰＰ板）上に、拭き取り用の液体洗浄剤１００μＬを塗布した。２３ｃｍ×１８ｃｍのティッシュペーパーを８等分に切り、その１つを４つ折りにした拭き具で、ＰＰ板上の拭き取り用の液体洗浄剤を拭き取った。
拭き取り後のＰＰ板上に混合食材３ｍｇをのせ、室温で乾燥するまで放置した後、４５０ｍＬのガラス瓶内に入れて蓋をした。この状態で４０℃に加温しながら１時間放置した後、室温に戻し、ガラス瓶内の臭気を専門パネラー１０名により、下記６段階臭気強度表示法に基づいて官能評価した。
（６段階臭気強度表示法）
５点：耐えられない程度の強い臭気。
４点：強い臭気。
３点：明らかに感じる臭気。
２点：何のニオイかわかる程度の臭気。
１点：やっと感知できる程度の臭気。
０点：無臭。
【００９０】
専門パネラー１０名による官能評価の平均点を求め、以下の評価基準にて食材の腐敗臭の抑制効果を評価した。
（評価基準）
◎◎◎：平均点が１点未満。
◎◎：平均点が１点以上１．５点未満。
◎：平均点が１．５点以上２点未満。
○：平均点が２点以上３点未満。
×：平均点が３点以上。
【００９１】
<<脂肪酸由来の悪臭に対する防臭力>>
まず、５ｃｍ×５ｃｍのポリプロピレン板（ＰＰ板）上に、拭き取り用の液体洗浄剤１００μＬを塗布した。２３ｃｍ×１８ｃｍのティッシュペーパーを８等分に切り、その１つを４つ折りにした拭き具で、ＰＰ板上の拭き取り用の液体洗浄剤を拭き取った。
拭き取り後のＰＰ板上にトリオレイン３ｍｇをのせ、室温で乾燥するまで放置した後、４５０ｍＬのガラス瓶内に入れて蓋をした。この状態で４０℃に加温しながら１時間放置した後、室温に戻し、ガラス瓶内の臭気を専門パネラー１０名により、下記６段階臭気強度表示法に基づいて官能評価した。
（６段階臭気強度表示法）
５点：耐えられない程度の強い臭気。
４点：強い臭気。
３点：明らかに感じる臭気。
２点：何のニオイかわかる程度の臭気。
１点：やっと感知できる程度の臭気。
０点：無臭。
【００９２】
専門パネラー１０名による官能評価の平均点を求め、以下の評価基準にて脂肪酸由来の悪臭の抑制効果を評価した。
（評価基準）
◎◎◎：平均点が１点未満。
◎◎：平均点が１点以上２点未満。
◎：平均点が２点以上３点未満。
○：平均点が３点以上４点未満。
×：平均点が４点以上。
【００９３】
＜拭き跡残りの評価＞
水平面に置かれた２０ｃｍ×２０ｃｍの鏡の面における、四辺のうちの対向する一組の辺のそれぞれ中点付近同士を結ぶ線（中心線）上であって、かつ、その一組の辺のうちの一方の辺から２ｃｍ離れた位置に、拭き取り用の液体洗浄剤０．１ｍＬを滴下した。
次いで、２３ｃｍ×１８ｃｍのティッシュペーパーを８等分に切り、その１つを４つ折りにした拭き具を用い、鏡上の拭き取り用の液体洗浄剤を、前記一組の辺のうちの一方の辺から２ｃｍ離れた位置と、前記一組の辺のうちの他方の辺から２ｃｍ離れた位置との間の中心線上を一往復させて鏡の面を拭いた。
その後、５分間静置して乾燥し、鏡の面における拭き跡残りの状態を目視判定した。同様の操作を合計で５回行い、以下の評価基準にて拭き跡残りを評価した。
◎◎：５回とも拭き跡が全く残っていなかった。
◎：５回中４回は拭き跡が全く残っていなかった。１回はよく見ると、拭き跡がわずかに残っている状態であった。
○：５回中３回は拭き跡が全く残っていなかった。２回はよく見ると、拭き跡がわずかに残っている状態であった。
△：５回中１〜２回は拭き跡が全く残っていなかった。３〜４回はよく見ると、拭き跡がわずかに残っている状態であった。
×：５回全て拭き跡が残っているのが分かる状態であった。
【００９４】
＜べたつき・ぬるつきの評価＞
５ｃｍ×５ｃｍのポリプロピレン板（ＰＰ板）上に拭き取り用の液体洗浄剤１００μＬを塗布した。２３ｃｍ×１８ｃｍのティッシュペーパーを８等分に切り、その１つを４つ折りにした拭き具で、ＰＰ板上の拭き取り用の液体洗浄剤を一往復させて拭き取った。拭き取り直後のＰＰ板を手で触り、以下の評価基準にてべたつき・ぬるつきを評価した。
（評価基準）
◎◎：べたつき・ぬるつきが全くない。
◎：べたつき・ぬるつきがほとんどない。
○：べたつき・ぬるつきがややある。
×：べたつき・ぬるつきがある。
【００９５】
「実施例２〜３２、比較例１〜８」
各成分の配合量を表１〜４に示すように変更した以外は、実施例１と同様にして各例の拭き取り用の液体洗浄剤を調製し、各種評価を行った。結果を表１〜４に示す。
なお、実施例３２では、任意成分としてエタノール（純正化学株式会社製、試薬１級、純分９５質量％）を用いた。
【００９６】
【表１】
2015017156.tif 000010
【００９７】
【表２】
2015017156.tif 000011
【００９８】
【表３】
2015017156.tif 000012
【００９９】
【表４】
2015017156.tif 000013
【０１００】
表１〜３から明らかなように、各実施例で得られた拭き取り用の液体洗浄剤は、抗菌力に優れ、菌の増殖を抑制できた。また、尿汚れや油汚れに対する洗浄力にも優れていた。また、尿臭、食材の腐敗臭、脂肪酸由来の悪臭に対する防臭力にも優れていた。さらに、拭き取り後のべたつきやぬるつきがなく、かつ拭き跡が残りにくかった。
【０１０１】
一方、（Ａ）成分の含有量が０．０３質量％である比較例１の拭き取り用の液体洗浄剤は、洗浄力に劣っていた。
（Ａ）成分の含有量が６質量％である比較例２の拭き取り用の液体洗浄剤は、べたつきやぬるつき、拭き跡が残りやすかった。
（Ａ１）成分を含有しない比較例３の拭き取り用の液体洗浄剤は、防臭力に劣っていた。
（Ｂ）成分、または（Ｃ）成分を含有しない比較例４、５の拭き取り用の液体洗浄剤は、防臭力に劣っていた。
（Ｃ）成分の代わりにＥＤＴＡを用いた比較例６の拭き取り用の液体洗浄剤は、防臭力に劣っていた。
（Ｄ）成分を含有しない比較例７の拭き取り用の液体洗浄剤は、抗菌力に劣っていた。
（Ｄ）成分の代わりにジデシルジメチルアンモニウム塩を用いた比較例８の拭き取り用の液体洗浄剤は、洗浄力に劣っていた。
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
少なくともアニオン界面活性剤（Ａ１）を含む界面活性剤（Ａ）を０．１〜５質量％と、
銅、マンガン、ニッケル、コバルト、鉄及び亜鉛から選択される少なくとも１種（Ｂ）と、
下記一般式（ｃ１）で表される化合物及び下記一般式（ｃ２）で表される化合物から選択される少なくとも１種のキレート剤（Ｃ）と、
ビグアニド系ポリマー（Ｄ）と
を含有する、拭き取り用の液体洗浄剤。
【化１】
2015017156.tif 000017
（式（ｃ１）中、Ｘ１１〜Ｘ１４は、それぞれ独立に、水素原子、アルカリ金属、アルカリ土類金属又はカチオン性アンモニウムを表し、Ｒ１１は水素原子又はヒドロキシ基を表し、ｎ１は０又は１の整数を表す。）
【化２】
2015017156.tif 000018
（式（ｃ２）中、Ａはアルキル基、カルボキシ基、スルホ基、アミノ基、ヒドロキシ基又は水素原子を表し、Ｘ２１〜Ｘ２３は、それぞれ独立に、水素原子、アルカリ金属、アルカリ土類金属又はカチオン性アンモニウムを表し、ｎ２は０〜５の整数を表す。）
【手続補正２】
【補正対象書類名】明細書
【補正対象項目名】００１０
【補正方法】変更
【補正の内容】
【００１０】
【化２】
2015017156.tif 000019
【手続補正３】
【補正対象書類名】明細書
【補正対象項目名】００５２
【補正方法】変更
【補正の内容】
【００５２】
【化７】
2015017156.tif 000020